【手続補正書】
【提出日】平成15年12月2日(2003.12.2)
【手続補正１】
【補正対象書類名】明細書
【補正対象項目名】特許請求の範囲
【補正方法】変更
【補正の内容】
【特許請求の範囲】
【請求項１】
装着開口及び砥材保持面を有する研磨ディスクに関し、これを貫通する少なくとも１つの非同心円状の観察開口を有し、該開口は使用中の前記ディスクの回転方向により規定される前縁と後縁を有し、該後縁は前記ディスクの砥材保持面の平面から前記ディスクの反対面の方向へ変形していることを特徴とする研磨ディスク。
【請求項２】
前記後縁の変形は該後縁から離れる方向へ延長するスリットを設けることにより助長されて、前記ディスクの材料が前記ディスクの砥面の平面から前記ディスクの裏面の方向へ変形されるようにすることを特徴とする請求項１に記載の研磨ディスク。
【請求項３】
前記ディスクの表面を囲んで３乃至８個の対称的に配置された観察開口を備えたことを特徴とする請求項１に記載の研磨ディスク。
【請求項４】
偶数の開口があり、その半数の開口に最も近い点への前記ディスクの半径距離は他の半数の開口のそれへの半径距離よりも大であることを特徴とする請求項３に記載の研磨ディスク。
【請求項５】
前記すべての開口は同じ寸法の円形であることを特徴とする請求項１に記載の研磨ディスク。
【請求項６】
前記装着開口の近辺において、またこれを囲んで、使用中の前記ディスクの回転に対する抵抗が所定の値を越えると破壊する脆弱部を有することを特徴とする請求項１に記載の研磨ディスク。
【請求項７】
前記脆弱部は前記装着開口を囲む穴の輪により提供されることを特徴とする請求項６に記載の研磨ディスク。
【請求項８】
押え板を要せずして研削盤の軸に装着される硬質ディスクであることを特徴とする請求項１に記載の研磨ディスク。
【請求項９】
前記砥材保持面には、各々が取り付けエッジと対向する自由エッジを有する複数の研磨フラップ部材が提供され、前記部材は前記ディスクに前記取り付けエッジに沿って取り付けられ、各自由エッジが相隣る部材の取り付けられたエッジに重なって前記部材が前記研磨ディスクの周縁に沿って重複関係で整列することを特徴とする請求項１に記載の研磨ディスク。
【請求項１０】
前記研磨フラップ部材は前記ディスクの周縁に沿って組として間隔をもって、また、前記ディスクの開口間に配置されることを特徴とする請求項９に記載の研磨ディスク。
【請求項１１】
前記砥材保持面は、各々が取り付けエッジと対向する自由エッジを有する複数の研磨フラップ部材により提供され、前記部材は前記ディスクに前記取り付けエッジに沿って取り付けられ、各自由エッジが相隣る部材の取り付けられたエッジに重なって前記部材が前記研磨ディスクの周縁に沿って重複関係で整列することを特徴とする請求項８に記載の研磨ディスク。
【請求項１２】
前記研磨フラップ部材は前記ディスクの周縁に沿って組として間隔をもって、また、前記ディスクの開口間に配置されることを特徴とする請求項１１に記載の研磨ディスク。
【請求項１３】
前記砥材保持面は少なくともその繊維の幾つかに砥粒が接着された不織繊維マットにより提供されることを特徴とする請求項１に記載の研磨ディスク。
【請求項１４】
前記砥材保持面は少なくともその繊維の幾つかに砥粒が接着された不織布繊維マットにより提供されることを特徴とする請求項８に記載の研磨ディスク。
【請求項１５】
前記観察開口は回転方向に関して傾斜していることを特徴とする請求項１３に記載の研磨ディスク。
【請求項１６】
前記ディスクには前記砥面から離れる方向に向けて１つ又はこれ以上の周辺折り目が設けられたことを特徴とする請求項１に記載の研磨ディスク。
【請求項１７】
前記観察開口と周縁との間の前記ディスクの部分には、回転に対して過度の局部的抵抗を受けると前記ディスクの破壊を許容する脆弱部が設けられていることを特徴とする請求項１に記載の研磨ディスク。
【請求項１８】
前記装着開口に近接して位置する空気循環穴を備えたことを特徴とする請求項１に記載の研磨ディスク。
【請求項１９】
前記ディスクは金属であり、研磨材はその表面に接着された金属であることを特徴とする請求項１に記載の研磨ディスク。
【請求項２０】
円形のディスクであって、その周縁から少なくとも３つの同一の、非接触の翼弦セグメント(chord segments)が間隔をおいて除去されていることを特徴とする研磨ディスク。
【請求項２１】
３乃至５つの翼弦セグメントが前記ディスクから除去されることを特徴とする請求項２０に記載の研磨ディスク。
【請求項２２】
観察開口が前記除去された翼弦セグメントの間の前記ディスクの部分に位置することを特徴とする請求項２０に記載の研磨ディスク。
【請求項２３】
前記開口は前記ディスクの回転方向により形成される前縁と後縁を有し、該後縁は前記ディスクの砥面の面から前記ディスクの裏面の方向へ変形していることを特徴とする請求項２２に記載の研磨ディスク。
【請求項２４】
前記後縁の変形は該後縁から離れる方向へ延長するスリットを設けることにより助長されて、前記ディスクの材料が前記ディスクの砥面の面から前記ディスクの裏面の方向へ変形されるようにすることを特徴とする請求項２３に記載の研磨ディスク。
【請求項２５】
前記ディスクの表面を囲んで３乃至８個の対称的に配置された観察開口を備えたことを特徴とする請求項２０に記載の研磨ディスク。
【請求項２６】
偶数の開口があり、その半数の開口に最も近い点への前記ディスクの半径距離は他の半数の開口のそれへの半径距離よりも大であることを特徴とする請求項２０に記載の研磨ディスク。
【請求項２７】
前記観察開口は同一直径の円形のものであることを特徴とする請求項２０に記載の研磨ディスク。
【請求項２８】
前記ディスクには前記砥面から離れる方向に向けて１つ又はこれ以上の周辺折り目が設けられたことを特徴とする請求項２０に記載の研磨ディスク。
【請求項２９】
前記装着開口の近辺において、またこれを囲んで、使用中の前記ディスクの回転に対する抵抗が所定の値を越えると破壊する脆弱部を有することを特徴とする請求項２０に記載の研磨ディスク。
【請求項３０】
前記脆弱部は前記装着開口を囲む穴の輪により提供されることを特徴とする請求項２９に記載の研磨ディスク。
【請求項３１】
押え板を要せずして研削盤の軸に装着される硬質ディスクであることを特徴とする請求項２０に記載の研磨ディスク。
【請求項３２】
前記砥材保持面は少なくともその繊維の幾つかに砥粒が接着された繊維マットにより提供されることを特徴とする請求項２０に記載の研磨ディスク。
【請求項３３】
前記砥材保持面は少なくとも一部の繊維に砥粒が接着された不織繊維マットにより提供されることを特徴とする請求項３１に記載の研磨ディスク。
【請求項３４】
前記観察開口と周縁との間の前記ディスクの部分には、回転に対して過度の局部的抵抗を受けると前記ディスクの破壊を許容する脆弱部が設けられていることを特徴とする請求項２０に記載の研磨ディスク。
【請求項３５】
その面には前記装着開口に近接して位置する空気循環穴を備えたことを特徴とする請求項２０に記載の研磨ディスク。
【請求項３６】
前記ディスクは金属であり、研磨材はその表面に接着された金属であることを特徴とする請求項２０に記載の研磨ディスク。
【請求項３７】
前記砥材保持面は、各々が取り付けエッジと対向する自由エッジを有する複数の研磨フラップ部材により提供され、前記部材は前記ディスクに前記取り付けエッジに沿って取り付けられ、各自由エッジが相隣る部材の取り付けられたエッジに重なって前記部材が前記研磨ディスクの周縁に沿って重複関係で整列することを特徴とする請求項２０に記載の研磨ディスク。
【請求項３８】
前記研磨フラップ部材は前記ディスクの周縁に沿って組として間隔をもって、また、前記ディスクの開口間に配置されることを特徴とする請求項３７に記載の研磨ディスク。
【請求項３９】
前記砥材保持面は、各々が取り付けエッジと対向する自由エッジを有する複数の研磨フラップ部材により提供され、前記部材は前記ディスクに前記取り付けエッジに沿って取り付けられ、各自由エッジが相隣る部材の取り付けられたエッジに重なって前記部材が前記研磨ディスクの周縁に沿って重複関係で整列することを特徴とする請求項３１に記載の研磨ディスク。
【請求項４０】
前記研磨フラップ部材は前記ディスクの周縁に沿って組として間隔をもって、また、前記ディスクの開口間に配置されることを特徴とする請求項３９に記載の研磨ディスク。